(57)【要約】回路カード環境において強制流動冷却を提供するための装置が提供され、実質的に横方向−縦方向面内に配向された単一の回路カードに共に接続され、縦方向に離間した第１および第２の回路カードサブアセンブリを含む少なくとも１つの回路カードを含む。第１および第２の回路カードサブアセンブリは、互いに異なる第１および第２の動作温度を有する。ハウジングは、回路カードを完全に三次元的に囲むハウジング内部ボリュームを画定する。第１温度制御流体は、第１の動作温度をもたらすために、第１の流路においてハウジング内部ボリューム内の第１の回路カードサブアセンブリの少なくとも一部を横切ってて横方向に導かれ、同時に、第２温度制御流体が、第２の動作温度をもたらすために、第２の流路においてハウジング内部ボリューム内の第２の回路カードサブアセンブリの少なくとも一部を横切って横方向に導かれる。
2021517323.tif 000002
【特許請求の範囲】
【請求項１】
回路カード環境において強制流動冷却を提供するための装置であって、
実質的に横方向−縦方向面内に配向された単一の回路カードに共に接続された、縦方向に離間した第１および第２の回路カードサブアセンブリを含む少なくとも１つの回路カードであって、前記第１および第２の回路カードサブアセンブリは、前記第１および第２の回路カードサブアセンブリに対して平行な横方向−縦方向面内に配向された横方向に延在するカードコネクタにより共に接続されており、前記第１および第２の回路カードサブアセンブリは、それぞれ第１および第２の動作温度を有し、前記第１および第２の動作温度は互いに異なるものである、少なくとも１つの回路カードと、
前記回路カードを完全に三次元的に囲むハウジング内部ボリュームを画定するハウジングと、
第１温度制御流体を前記ハウジング内に送るための第１温度入口継手であって、前記第１の回路カードサブアセンブリと横方向に整列されている、第１温度入口継手と、
前記第１温度制御流体を前記ハウジングの外に送るための第１温度出口継手であって、前記第１の回路カードサブアセンブリと横方向に整列され、前記第１温度入口継手から前記ハウジング上で縦方向に離間されている、第１温度出口継手と、
第２温度制御流体を前記ハウジング内に送るための第２温度入口継手であって、前記第２の回路カードサブアセンブリと横方向に整列されている、第２温度入口継手と、
前記第２温度制御流体を前記ハウジングの外に送るための第２温度出口継手であって、前記第２の回路カードサブアセンブリと横方向に整列され、前記第２温度入口継手から前記ハウジング上で縦方向に離間されている、第２温度出口継手と
を備え、
前記第１温度制御流体は、前記第１の動作温度をもたらすために、第１の流路において前記ハウジング内部ボリューム内の前記第１の回路カードサブアセンブリの少なくとも一部を横切って横方向に導かれ、同時に、前記第２温度制御流体が、前記第２の動作温度をもたらすために、第２の流路において前記ハウジング内部ボリューム内の前記第２の回路カードサブアセンブリの少なくとも一部を横切って横方向に導かれる、装置。
【請求項２】
前記カードコネクタの少なくとも一部に横断方向に隣接する前記ハウジング内部ボリューム内に配置された熱バリアを含み、前記熱バリアは、前記第１および第２の回路カードサブアセンブリの間の縦方向の流体の流れを少なくとも部分的に制限する、請求項１に記載の装置。
【請求項３】
前記ハウジング内部ボリュームの内側に配置された複数の回路カードを含み、前記複数の回路カードの各々は、実質的に横方向−縦方向面内に配向されている、請求項１に記載の装置。
【請求項４】
複数の回路カードは、横方向に積層された行配置および横断方向に積層された列配置のうちの少なくとも１つに配置されている、請求項３に記載の装置。
【請求項５】
横断方向に隣接する回路カードは、異なる横断方向に交互に配向されている、請求項３に記載の装置。
【請求項６】
前記第１および第２の回路カードサブアセンブリおよびカードコネクタは、一体構造である、請求項１に記載の装置。
【請求項７】
前記ハウジング内部ボリュームは、少なくとも部分的に真空下にある、請求項１に記載の装置。
【請求項８】
前記第１および第２温度入口継手のうちの選択された１つは、対応する第１または第２温度出口継手と横方向に反対側に、前記ハウジング上に配置されている、請求項１に記載の装置。
【請求項９】
前記第１および第２温度制御流体のうちの選択された一方は液相であり、前記第１および第２温度制御流体のうちの他方は気相である、請求項１に記載の装置。
【請求項１０】
前記第１および第２温度制御流体は、単一の冷却流体の異なる相である、請求項９に記載の装置。
【請求項１１】
前記第１および第２の流路は、実質的に互いに分離している、請求項１に記載の装置。
【請求項１２】
前記第１および第２の流路は、実質的に平行である、請求項１１に記載の装置。
【請求項１３】
前記カードコネクタの少なくとも一部に横断方向に隣接する前記ハウジング内部ボリューム内に配置された熱バリアを含み、前記熱バリアは、第１および第２の流路を実質的に縦方向に分離する、請求項１１に記載の装置。
【請求項１４】
前記第１および第２の回路カードサブアセンブリのうちの選択された１つから前記ハウジングを通って延在し、選択された回路カードサブアセンブリを前記ハウジングの外部の電気デバイスと電気通信させるための少なくとも１つの電気相互接続を含む、請求項１に記載の装置。
【請求項１５】
各回路カードサブアセンブリは、前記カードコネクタを含む回路基板およびサブアセンブリ基板のうちの少なくとも１つから横断方向に延在する複数のＩＣチップを含み、各サブアセンブリ基板は、存在する場合、前記カードコネクタ上に横断方向に取り付けられ、前記カードコネクタは、前記第１および第２の回路カードサブアセンブリの前記サブアセンブリ基板の合計表面積よりも大きい表面積を有する、請求項１に記載の装置。
【請求項１６】
前記第１および第２出口継手のうちの選択された１つと、前記第１および第２入口継手のうちの選択された１つとの間の流路に設けられた冷却ブースターユニットを含む、請求項１に記載の装置。
【請求項１７】
システムであって、
複数の請求項１に記載の装置と、
各装置の少なくとも１つの第１温度入口継手と流体連通している第１温度制御流体源と、
各装置の少なくとも１つの第２温度入口継手と流体連通している第２温度制御流体源と
を備える、システム。
【請求項１８】
回路カード環境において強制流動冷却を提供する方法であって、
実質的に横方向−縦方向面内に配向された単一の回路カードに接続された、縦方向に離間した第１および第２の回路カードサブアセンブリを含む少なくとも１つの回路カードであって、前記第１および第２の回路カードサブアセンブリは、前記第１および第２の回路カードサブアセンブリに対して平行な横方向−縦方向面内に配向された横方向に延在するカードコネクタにより共に接続されている、少なくとも１つの回路カードと、
ハウジング内部ボリュームを画定するハウジングと、
前記第１の回路カードサブアセンブリと横方向に整列されている第１温度入口継手と、
前記第１の回路カードサブアセンブリと横方向に整列され、前記第１温度入口継手から前記ハウジング上で縦方向に離間されている第１温度出口継手と、
前記第２の回路カードサブアセンブリと横方向に整列されている第２温度入口継手と、
前記第２の回路カードサブアセンブリと横方向に整列され、前記第２温度入口継手から前記ハウジング上で縦方向に離間されている第２温度出口継手と
を含む装置を提供すること、
第１の動作温度で動作するように前記第１の回路カードサブアセンブリを構成すること、
前記第１の動作温度とは異なる第２の動作温度で動作するように前記第２の回路カードサブアセンブリを構成すること、
前記ハウジング内部ボリュームで前記回路カードを完全に囲むこと、
前記第１温度入口継手を介して第１温度制御流体を前記ハウジング内に送ること、
前記第１温度出口継手を介して前記第１温度制御流体を前記ハウジングの外に送ること、
前記第２温度入口継手を介して第２温度制御流体を前記ハウジング内に送ること、
前記第２温度出口継手を介して前記第２温度制御流体を前記ハウジングの外に送ること、
前記第１温度制御流体を、第１の流路において前記ハウジング内部ボリューム内の前記第１の回路カードサブアセンブリの少なくとも一部を横切って横方向に導くこと、
前記第２温度制御流体を、第２の流路において前記ハウジング内部ボリューム内の前記第２の回路カードサブアセンブリの少なくとも一部を横切って横方向に導くこと、
前記第２の流路を介して前記第２の動作温度をもたらすのと同時に、前記第１の流路を介して前記第１の動作温度をもたらすこと
を含む方法。
【請求項１９】
前記第１および第２の回路カードサブアセンブリの間で縦方向に流体の流れを少なくとも部分的に制限することを含む、請求項１８に記載の方法。
【請求項２０】
前記第１および第２温度制御流体のうちの選択された一方を液相で、前記第１および第２温度制御流体のうちの他方を気相で提供することを含む、請求項１８に記載の方法。
【請求項２１】
装置を提供することは、
複数の回路カードを前記ハウジング内部ボリューム内に配置すること、
前記複数の回路カードの各々を実質的に横方向−縦方向面内に配向させること、
横方向に積層された行配列および横断方向に積層された列配列のうちの少なくとも１つで前記ハウジング内に前記複数の回路カードを配置することを含む、請求項１８に記載の方法。
【発明の詳細な説明】
【技術分野】
【０００１】
本開示は、温度制御方法、システム、および装置に関し、より詳細には、回路カード環境において強制流動冷却を提供するための装置、システム、および方法に関する。
【背景技術】
【０００２】
回路カードは、複数の集積回路（「チップ」）を含む電子デバイスのアセンブリを構築するための現在の最新技術である。これらのアセンブリは複数のタイプ、すなわち、有機多層ラミネートプリントワイヤボード（ＰＷＢ）、低温同時焼成セラミック（ＬＴＣＣ）、および高温同時焼成セラミック（ＨＴＣＣ）に分けることができる。これらの技術の各々を使用して、回路カードアセンブリが製造されている。
【０００３】
超伝導スーパーコンピュータでは、動作処理集積回路（「チップ」）の多くは約４Ｋに冷却されているが、代わりに一部のメモリチップの動作温度は約７７Ｋともっと高くなっている。４Ｋでの冷却はコストのかかる作業であるので、熱的寄生負荷を低減するために超伝導スーパーコンピュータ設計にはあらゆる努力がなされている。これは、アセンブリを真空（対流なし）に置くこと、コーティングおよび多層断熱材を使用して熱放射を低減すること、アセンブリ全体の「高温側」と「低温側」との間の伝導熱負荷を制限することを含む。
【０００４】
大規模アプリケーションの場合、現在の最新の技術は、大型の集中型冷凍プラントを利用することにより、超伝導スーパーコンピュータの所望の動作温度を達成するという問題を解決している。このようなシステムは、液体冷却剤（４Ｋのヘリウムまたは７７Ｋの窒素）を供給する。熱的寄生負荷は、温度領域の各々に個別の極低温容器またはデュワーを使用することで最小限に抑えられる。４Ｋデュワーは液体ヘリウムで維持され、７７Ｋデュワーは液体窒素を含み得る。２つの温度側の間の信号は、ケーブル配線によって完成される。このソリューションでは、デジタルの観点から長いケーブルが必要となり、その結果、４Ｋ領域と７７Ｋ領域の間で大きな遅延が発生し、４Ｋステージではより多くの部品が必要になる可能性がある。これらの追加部品はかなりの電力を消費し、超伝導スーパーコンピュータの特定の設計を実行不可能にする。
【０００５】
小規模のアプリケーションでは、クライオクーラーまたはクローズドサイクル冷凍機を使用して、両方の温度で冷却を行うことができる。この方法により、クライオクーラーの最初のステージは約７７Ｋのプラットフォームを提供し、クライオクーラーの最終ステージは４Ｋのステージを提供する。２つのゾーン間の接続は、ケーブルによって完成される。これにより、２つの温度側が接近するが、クライオクーラーの熱除去が不十分であるため、このアプローチは大規模なアプリケーションには拡張できない。
【発明の概要】
【０００６】
一実施形態では、回路カード環境で強制流動冷却を提供するための装置が提供される。装置は、実質的に横方向−縦方向面内に配向された単一の回路カードに共に接続され、縦方向に離間した第１および第２の回路カードサブアセンブリを含む少なくとも１つの回路カードを含む。第１および第２の回路カードサブアセンブリは、第１および第２の回路カードサブアセンブリに対して平行な横方向−縦方向面内に配向された横方向に延在するカードコネクタにより共に接続されている。第１および第２の回路カードサブアセンブリは、それぞれ第１および第２の動作温度を有する。第１および第２の動作温度は互いに異なる。ハウジングは、回路カードを完全に三次元的に囲むハウジング内部ボリュームを画定する。第１温度入口継手は、第１温度制御流体をハウジング内に送るために設けられている。第１温度入口継手は、第１の回路カードサブアセンブリと横方向に整列されている。第１温度出口継手は、第１温度制御流体をハウジングの外に送るために設けられている。第１温度出口継手は、第１の回路カードサブアセンブリと横方向に整列され、第１温度入口継手からハウジング上で縦方向に離間されている。第２温度入口継手は、第２温度制御流体をハウジング内に送るために設けられている。第２温度入口継手は、第２の回路カードサブアセンブリと横方向に整列されている。第２温度出口継手は、第２温度制御流体をハウジングの外に送るために設けられている。第２温度出口継手は、第２の回路カードサブアセンブリと横方向に整列され、第２温度入口継手からハウジング上で縦方向に離間されている。第１温度制御流体は、第１の動作温度をもたらすために、第１の流路においてハウジング内部ボリューム内の第１の回路カードサブアセンブリの少なくとも一部を横切って横方向に導かれ、同時に、第２温度制御流体が、第２の動作温度をもたらすために、第２の流路においてハウジング内部ボリューム内の第２の回路カードサブアセンブリの少なくとも一部を横切って横方向に導かれる。
【０００７】
一実施形態では、回路カード環境で強制流動冷却を提供する方法が提供される。装置が提供され、装置は、実質的に横方向−縦方向面内に配向された単一の回路カードに共に接続され、縦方向に離間した第１および第２の回路カードサブアセンブリを含む少なくとも１つの回路カードを含む。第１および第２の回路カードサブアセンブリは、第１および第２の回路カードサブアセンブリに対して平行な横方向−縦方向面内に配向された横方向に延在するカードコネクタにより共に接続されている。ハウジングは、ハウジング内部ボリュームを画定する。第１温度入口継手は、第１の回路カードサブアセンブリと横方向に整列されている。第１温度出口継手は、第１の回路カードサブアセンブリと横方向に整列され、第１温度入口継手からハウジング上で縦方向に離間されている。第２温度入口継手は、第２の回路カードサブアセンブリと横方向に整列されている。第２温度出口継手は、第２の回路カードサブアセンブリと横方向に整列され、第２温度入口継手からハウジング上で縦方向に離間されている。第１の回路カードサブアセンブリは、第１の動作温度で動作するように構成されている。第２の回路カードサブアセンブリは、第１の動作温度とは異なる第２の動作温度で動作するように構成されている。回路カードは、ハウジング内部ボリュームで完全に囲まれている。第１温度制御流体は、第１温度入口継手を介してハウジングに送られる。第１温度制御流体は、第１温度出口継手を介してハウジングの外に送られる。第２温度制御流体は、第２温度入口継手を介してハウジングに送られる。第２温度制御流体は、第２温度出口継手を介してハウジングの外に送られる。第１温度制御流体は、第１の流路においてハウジング内部ボリューム内の第１の回路カードサブアセンブリの少なくとも一部を横切って横方向に導かれる。第２温度制御流体は、第２の流路においてハウジング内部ボリューム内の第２の回路カードサブアセンブリの少なくとも一部を横切って横方向に導かれる。第１の動作温度は、第２の流路を介して第２の動作温度がもたらされるのと同時に、第１の流路を介してもたらされる。
【図面の簡単な説明】
【０００８】
よりよく理解するために、添付の図面を参照することができる。
【図１】本発明の一態様の概略部分正面図である。
【図２】図１の態様の構成要素の分解斜視図である。
【図３】図１の態様の概略部分上面図である。
【図４】図１の態様の概略部分側面図である。
【図５】図４の細部「５」の拡大図である。
【図６】図１の態様の分解斜視図である。
【図７】図１の態様の部分分解斜視図である。
【図８】図１の態様を含むシステムの概略図である。
【図９】図１の態様を含む例示的な方法のフローチャートである。
【発明を実施するための形態】
【０００９】
この技術は、以下の特徴の任意の組み合わせを備え、以下の特徴の任意の組み合わせからなり、または本質的に以下の特徴の任意の組み合わせからなる。
図１は、回路カード環境において強制流動冷却を提供するための装置１００を示す。装置１００は、縦方向に離間した第１の回路カードサブアセンブリ１０４および第２の回路カードサブアセンブリ１０６をそれぞれ含む少なくとも１つの回路カード１０２を含む。第１の回路カードサブアセンブリ１０４および第２の回路カードサブアセンブリ１０６は、その図を斜めに見ることを可能にするために傾いている以外は、実質的に（直交線Ｌｏ、Ｌａによって示されるように）図１のページの平面と幾分一致する横方向−縦方向面（ｌａｔｅｒａｌ−ｌｏｎｇｉｔｕｄｉｎａｌ  ｐｌａｎｅ）内に配向された単一の回路カード１０２に共に接続されている。第１の回路カードサブアセンブリ１０４および第２の回路カードサブアセンブリ１０６は、第１の回路カードサブアセンブリ１０４および第２の回路カードサブアセンブリ１０６に平行な横方向−縦方向面内に配向された横方向に延びるカードコネクタ２０８によって共に接続されている。この配置を図２に示す。
【００１０】
回路カードサブアセンブリ１０４および１０６は、図２に示す例のように、単一のバッキング基板２１２に取り付けられたＩＣチップ２１０の２つの縦方向に離間したグループを含み、各「サブアセンブリ」は、バッキング基板２１２の表面の所定の領域として定義される。これは、図および対応する説明で例として使用される配置であり、第１の回路カードサブアセンブリ１０４、第２の回路カードサブアセンブリ１０６、およびカードコネクタ２０８は、一体構造である（「一体構造」という用語は、ここでは、第１の回路カードサブアセンブリ１０４、第２の回路カードサブアセンブリ１０６、およびカードコネクタ２０８が、単一の材料片から形成され、これらのコンポーネント間の境界が単一の材料上のそれらの相対位置に基づいていることを示すために使用されている）。
【００１１】
追加的に、または代替的に、第１および第２の回路カードサブアセンブリ１０２，１０４の一方または両方は、サブアセンブリ基板（図示せず）に取り付けられた少なくとも１つのＩＣチップ２１０を備えることができる。次に、（ＩＣチップ２１０がその上に取り付けられる前または後に）サブアセンブリ基板がバッキング基板２１２に取り付けられて、第１および第２の回路カードサブアセンブリ１０４，１０６の所望の縦方向の間隔を達成することができる。
【００１２】
適切な回路カード１０２の１つの例は、２０１７年５月９日に発行された「ＣＩＲＣＵＩＴ  ＣＡＲＤ  ＡＳＳＥＭＢＬＹ  ＡＮＤ  ＭＥＴＨＯＤ  ＯＦ  ＰＲＯＶＩＤＩＮＧ  ＳＡＭＥ」という名称の米国特許第９，６４８，７４９号に提供されており、参照によりその全体が本明細書に組み込まれる。回路カード１０２またはその一部の存在は、第１および第２の回路カードサブアセンブリ１０４，１０６のＩＣチップ２１０間の縦方向の磁気、熱、および放射伝達の少なくとも１つを制限するのに役立ち得る。例えば、バッキング基板２１２は、熱遮蔽および電磁干渉（「ＥＭＩ」）遮蔽能力において作用し得る（ここで、ＥＭＩ遮蔽は、任意の望ましい高透磁率材料を使用するなどによるＤＣ磁気遮蔽を含むが、これに限定されないと理解されるべきである）。
【００１３】
言い換えると、第１および第２の回路カードサブアセンブリ１０４，１０６は、第１および第２の回路カードサブアセンブリ１０４，１０６に平行および／または一致する横方向−縦方向面内に配向された横方向に延びるカードコネクタ２０８（本明細書ではバッキング基板２１２として示され説明される）によって互いに接続され得る。少なくとも図１および図２の配置のように、各回路カードサブアセンブリ１０４および１０６は、カードコネクタ２０８（ここでは、バッキング基板２１２）から横断方向に延びる複数のＩＣチップ２１０を含み得る（横断方向は、斜視図を可能にするために傾けられている以外は、図１の向きの紙面に実質的に出入りする）。
【００１４】
カードコネクタ２０８（例えば、バッキング基板２１２）は、第１および第２の回路カードサブアセンブリ１０４，１０６の合計表面積よりも大きい表面積を有する。したがって、第１および第２の回路カードサブアセンブリ１０４，１０６は、相対的な表面積におけるこの相違を利用して、カードコネクタ２０８の縦方向に介在する部分により、縦方向に間隔を置いて配置され得る。カードコネクタ２０８は、第１および第２の回路カードサブアセンブリ１０４，１０６のいずれに関連する領域よりもバッキング基板２１２の熱伝導性が低い領域であってよく、これは、一部の使用環境では第１および第２の回路カードサブアセンブリ１０４，１０６間の寄生熱伝達の防止に役立ち得る。
【００１５】
単一の回路カード１０２のＩＣチップ２１０は、異なる温度要件を有し得る。例えば、ＩＣチップ２１０の（図の向きにおいて）縦方向に最も上のアレイ（例えば、第１の回路カードサブアセンブリ１０４のアレイ）は、約７７Ｋなどの、約７５〜７９Ｋの範囲の所望の動作温度を有することができる。同様に、ＩＣチップ２１０（図の向きにおいて）縦方向に最も下のアレイ（例えば、第２の回路カードサブアセンブリ１０６のアレイ）は、約４Ｋなどの、約２〜６Ｋの範囲の所望の動作温度を有することができる。以下で説明するように、装置１００は、第１および第２の回路カードサブアセンブリ１０４，１０６に所望の温度差環境を提供するのを助けることができ、バッキング基板２１２は、他のエネルギーのなかでも、第１および第２の回路カードサブアセンブリ１０４，１０６間の縦方向の熱エネルギー伝達を遮断することによって熱効率を助けることができる。
【００１６】
別の言い方をすれば、２つの縦方向に隣接する第１および第２の回路カードサブアセンブリ１０４，１０６は、本明細書に記載された冷却構造および設備のうちの少なくとも１つと、第１および第２の回路カードサブアセンブリ１０４，１０６の間に縦方向にバッキング基板２１２の一部が存在することに起因して、第１および第２の回路カードサブアセンブリ１０４，１０６の間に低い熱寄生熱伝達を有し、各々が異なる温度で、（装置１００内に含めることにより）互いに空間的に近接して維持されることができる。
【００１７】
図２は、装置１００で使用するために構成された一対の対向する回路カード１０２の１つの例示的な構成を分解図で示している。これらの回路カード１０２（他の点では互いに実質的に同じである）は、背中合わせに配置されている。すなわち、横断方向に隣接する回路カード１０２は、特定の使用環境に応じて異なる横断方向に交互に配向され得る。この背中合わせの配置は、パッケージ密度、支持体の構成、流体の流れを支援するために、または他の理由のために提供され得る。図２に示されるように存在する場合、横断方向に隣接して対向する回路カード１０２のペアは、１つまたは複数のフレーム２１４（２つ示されている）の存在により支持され、特に回路カード１０２がそのようなサポートが保証されるのに十分なほど薄い場合、構造的支持を提供し得る。いくつかの使用環境では、フレーム２１４は、各「ペア」の回路カード１０２間の横断方向の空きスペースを実質的に排除するために十分に近接して回路カード１０２を保持することができる。
【００１８】
図１に戻って参照すると、装置１００は、回路カード１０２を完全に三次元的に囲むハウジング内部ボリューム１１８を画定するハウジング１１６も含む。図に示されているように、ハウジング１１６は、複数のサブコンポーネントから組み立てることができる。図示のように、複数の回路カード１０２は、ハウジング内部ボリューム１１８の内側に配置され得る。多くの使用環境において、複数の回路カード１０２の各々は、図１および図３〜図４に示されるように、実質的に横方向−縦方向面内に配向され得る。また、図１および図３〜図４に示されるように、複数の回路カード１０２は、横方向に積層された行配置および横断方向に積層された列配置のうちの少なくとも１つに配置され得る。このタイプの「行」および「列」の両方が、図に示され、本明細書で説明される装置１００に存在する。ハウジング内部ボリューム１１８は、少なくとも部分的に真空下にあってもよく、存在する場合、ハウジング内部ボリューム１１８内の望ましくない熱伝達を回避するのを助け、したがって熱的隔離を生じさせることができる。
【００１９】
ハウジング１１６は、図に示されるように、内部容器１２０を含み得る。存在する場合、内部容器１２０は、ハウジング内部ボリューム１１８内に配置され、これらに限られないが、回路カード１０２（複数可）をハウジング１１８内の開口部またはポートから隔離すること、および／または回路カード１０２（複数可）の周囲に真空状態にされた真空周囲空間を確立（および／または維持）することなどの任意の所望の目的のために、回路カード１０２（複数可）を完全に取り囲んでいてもよい。
【００２０】
前述のように、第１および第２の回路カードサブアセンブリ１０４，１０６は、それぞれ第１および第２の動作温度を有し得る。第１および第２の動作温度は互いに異なる。第１および第２の動作温度の維持をサポートするために、ハウジング１１６は、それぞれ第１温度入口継手１２２および第１温度出口継手１２４、ならびにそれぞれ第２温度入口継手１２６および第２温度出口継手１２８を含む。より具体的には、第１温度入口継手１２２は、第１温度制御流体をハウジング１１６内に送るために設けられている。第１温度入口継手１２２は、第１の回路カードサブアセンブリ１０４と横方向に整列されている（「横方向に整列された」という用語は、「横方向に整列された」構造の少なくとも一部が、共通の横方向の線上に位置していることを示すために本明細書で使用される。しかしながら、「横方向に整列された」構造は、縦方向および／または横断方向など、他の直交方向に互いにオフセットされ得る）。第１温度出口継手１２４は、第１温度制御流体をハウジング１１６の外に送るために設けられている。第１温度出口継手１２４は、第１の回路カードサブアセンブリ１０４と横方向に整列され、第１温度入口継手１２２からハウジング１１６上で縦方向に離間されている。第２温度入口継手１２６は、第２温度制御流体をハウジング１１６内に送るために設けられている。第２温度入口継手１２６は、第２の回路カードサブアセンブリ１０６と横方向に整列されている。第２温度出口継手１２８は、第２温度制御流体をハウジング１１６の外に送るために設けられている。第２温度出口継手１２８は、第２の回路カードサブアセンブリ１０６と横方向に整列され、第２温度入口継手１２６からハウジング１１６上で縦方向に離間されている。
【００２１】
当業者は、装置１００の特定の使用環境に対して、第１温度入口継手１２２および第１温度出口継手１２４ならびに第２温度入口継手１２６および第２温度出口継手１２８に適切な位置、構成、および他の特性を提供することができる。例えば、図に示すように、第１および第２温度入口継手１２２または１２６のうちの選択された１つ（または両方）は、第１または第２温度出口継手１２４または１２８の対応する１つ（または両方）と横方向に反対側に、ハウジング１１６上に配置され得る。第１温度入口継手１２２および出口継手１２４ならびに第２温度入口継手１２６および出口継手１２８のいずれも、ハウジング１１６と一体的に形成されてよく、または別個に設けられてもよいことが企図されている。第１温度入口継手１２２および出口継手１２４ならびに第２温度入口継手１２６および出口継手１２８のいずれも、（図３に示すように）広がっているか、または対応する第１または第２温度制御流体を分配および／または収集するために、またはそうでなければ流体力学特性に影響を与えるように成形され得ることが企図されている。任意の所望のマニホールドまたは他の流体制御機構またはデバイスが、記載された流体効果を生み出すために必要に応じて設けられ得る。
【００２２】
より具体的には、第１温度制御流体は、第１の動作温度をもたらすために、第１の流路（１３０で概略的に示される）においてハウジング内部ボリューム１１８内の第１の回路カードサブアセンブリ１０４の少なくとも一部を横切って第１温度入口継手１２２から横方向に導かれ、同時に、第２温度制御流体が、第２の動作温度をもたらすために、第２の流路（１３２で概略的に示される）においてハウジング内部ボリューム１１８内の第２回路カードサブアセンブリ１０６の少なくとも一部を横切って第２温度入口継手１２６から横方向に導かれる。したがって、第１および第２温度制御流体は、それぞれ第１および第２の回路カードサブアセンブリ１０４および１０６を横切って「注ぎ（ｉｒｒｉｇａｔｅ）」または「浸し（ｂａｔｈｅ）」、ＩＣチップ２１０および回路カード１０２（複数可）の他の構造からの廃熱の除去を助ける。第１および第２温度制御流体は、出口方向から陰圧下で、および／または入口方向から陽圧下で、ハウジング内部ボリューム１１８を通して付勢され得る。ハウジング内部ボリューム１１８内の第１および第２の流路１３０，１３２は、大気圧（装置１００の外側の圧力）よりわずかに低いか、等しいか、またはわずかに高くなり得る。
【００２３】
任意の相（複数可）の任意の適切な流体（複数可）は、所望の第１および第２の動作温度を達成するのに適した第１および／または第２温度制御流体として使用でき、任意の所望の構造が、特定の流体（複数可）の使用を容易にするために装置１００に設けられ得る。例えば、特定の使用環境では、第１および第２温度制御流体のうちの選択された一方が液相であり、第１および第２温度制御流体のうちの他方が気相であってよい。（ここで、「液体」および「蒸気」または「気体」は、これらのチャネルを通過する流体の大部分を示すために使用されるが、「液体」チャネルは、少数の割合の蒸気／ガスを含むこともでき、逆もまたあり得ることが理解されるべきである。）そのような二相冷却が提供される場合、熱伝達効率または任意の他の所望の理由のために、第１および第２温度制御流体の暖かい方（通常は気相または蒸気相の流体）が、第１および第２温度制御流体の冷たい方（通常は液相）の流路よりもハウジング１１６内で縦方向に高く配置された流路にあることが企図されている。
【００２４】
第１および第２温度制御流体は、単一の冷却流体の異なる相であってよい。例えば、第１の動作温度が約７７Ｋである場合、第１温度制御流体は、約６０Ｋの温度の気相ヘリウムであってよく、同様に、第２の動作温度が約４Ｋである場合、第２温度制御流体は、約４Ｋの温度の液相ヘリウムであり得る。いくつかの使用環境では、単一量の冷却流体がハウジング１１６を２回通過する可能性があると考えられ、最初は液体として第２の流路を通過し、次に、特定の冷却流体が相変化を起こした後（これは、少なくとも部分的に、第２の流路から吸収された熱が原因であり得る）、蒸気／ガスとして第１の流路を通過する。
【００２５】
図３〜図４を参照すると、ハウジング１１６の詳細が示されている。ハウジング１１６は、示されるように、別個のハウジング本体３３４およびハウジングエンドキャップ３３６の部品から組み立てられてもよい。内部容器１２０に加えて、またはその代わりに、１つまたは複数の熱シールド３３８を設けて、ハウジング内部ボリューム１１８の少なくとも一部の内部に所望の熱環境を提供するのをさらに助けることができる。任意のフランジ（複数可）、シール（複数可）、および／またはスペーサー３４０（非導電性スペーサー３４０であり得る）は、熱および機械的意味のいずれかまたは両方において、装置１００の組み立ておよび／または動作を支援するために提供されることができ、いくつかのそのようなコンポーネントが図６〜図７の分解図に示されている。内部容器１２０に関して図６〜図７に示すように、特定のコンポーネントは、一緒に取り付けられた複数のサブコンポーネントで作られてもよく、そのような場合、それらのサブコンポーネントの継ぎ目または接合部は、任意の望ましい方法でシールされ、不要な潜在的熱流路を削減するように（例えば、互いにオフセットされるように）構成され得る。
【００２６】
多くの使用環境では、図１に示されるように、第１および第２の流路１３０，１３２は、互いに実質的に分離していてよい。「実質的に分離」とは、第１および第２の流路１３０，１３２の間の境界で、第１および第２温度制御流体のうちの１つまたは複数の温度を実質的に変化させるには不十分な、ごく少量の混合物のみが生じることを意味する。これは、第１および第２温度制御流体が異なる相を有する場合に特に当てはまる可能性がある。第１および第２の流路１３０，１３２は、互いに実質的に分離している場合、図１に再び示すように、実質的に平行であってもよい。
【００２７】
第１および第２の流路１３０，１３２の任意の所望の分離は、ハウジング内部ボリューム１１８内の流体力学的構成を介して達成され得る。代替的に、図４〜図５に詳細に示される熱バリア４４２は、カードコネクタ２０８の少なくとも一部と横断方向に隣接するハウジング内部ボリューム１１８内に配置されてもよい。熱バリア４４２が存在する場合、第１および第２の回路カードサブアセンブリ１０４，１０６の間で縦方向の流体の流れを少なくとも部分的に制限する。言い換えれば、熱バリア４４２は、第１および第２の流路１３０，１３２（図５に正面から概略的に示されている）を実質的に縦方向に分離することができる。図４〜図５に示されるように、熱バリア４４２は、回路カード１０２が延在するスロット５４４を含めることなどによって、回路カード１０２の横断方向に積層された列と横断方向に互いにかみ合うように形成され得る。（図示の配置では、熱バリア４４２は、回路カード１０２の横方向に隣接する列の間の内部容器１２０内の横断方向の寸法に完全に広がるように構成され、流体の流れが第１および第２の流路１３０，１３２の間を移動するのを防ぐ。）図５で明らかなように、スロット５４４は、横断方向−縦方向面の断面で見たときに、くさび形であってよく、これは、回路カード１０２および／またはそれに関連する任意のフレーム２１４と併せて密封嵌合を提供することを補助し得る。
【００２８】
第１および第２温度制御流体が異なる流体である構成では、熱バリア４４２は、第１および第２温度制御流体を完全に分離しておくのを助けるために密閉シール（図示せず）を含むことができる。対照的に、第１および第２温度制御流体が同じタイプの流体である場合（第１および第２の流路１３０，１３２において同じまたは異なる相であり得る）、熱バリア４４２は、第１の流路１３０からの蒸発した流体の一部が直接熱バリア４４２を通過して第２の流路１３２に至ることを可能にしてもよい。同じ流体冷却のこの場合、提供するのに費用がかかる可能性がある密閉シールは、熱バリア４４２では必要とされない。
【００２９】
図７を参照すると、データリンク７４６（例えば、光ファイバデータリンク７４６）が、装置１００内または装置１００への／からの電気通信を容易にするために提供され得る。複数の回路カード１０２のデータリンク７４６は、必要に応じて、ハウジング１１６の内部または外部に集約することができる。図１に概略的に示されるように、少なくとも１つの電気相互接続１４８は、第１および第２の回路カードサブアセンブリ１０４，１０６のうちの選択された１つ（または複数）からハウジング１１６を通って延在し、選択された回路カードサブアセンブリ１０４および／または１０６を、データ、電力、または任意の他の所望の電気信号（複数可）の交換のために、ハウジング１１６の外部の電気デバイス１５０と電気的に通信するように配置することができる。前述のように、複数の回路カード１０２からのデータリンク７４６は、単一の電気相互接続１４８に集約され得る。電気相互接続１４８は、有線および無線通信方式の両方を組み込むものとして図１に概略的に示されており、当業者は、装置１００に特定の使用環境のための任意の所望の有線および／または無線電気通信設備を設けることができる。
【００３０】
次に図８の概略図を参照すると、前述のような装置１００を複数含むシステム８５２を提供することができる。説明のために、装置１００を第１および第２の流路１３０，１３２に縮小して図８に示す。システム８５２では、第１温度制御流体源８５４は、各装置１００の少なくとも１つの第１温度入口継手１２２と流体連通している。第２温度制御流体源８５６（ここでは、液体冷却流体タンク８５６）は、各装置１００の少なくとも１つの第２温度入口継手１２６と流体連通している。冷凍システム８５８が、液体冷却流体タンク８５６内の流体を所望の温度に保つために設けられ得る。ポンプ８６０は、第１および／または第２温度制御流体を第１および第２の流路１３０，１３２に沿ってルーティングおよび導くことを支援するために設けられ得る。
【００３１】
図８に示すシステム８５２では、第１および第２の流路１３０，１３２は反対方向に走り、第２の流路１３０内の単一の冷却流体の液相を第２温度制御流体として使用し、第１の流路１３２内の同じ冷却流体の気相／蒸気相を第１温度制御流体として使用することをサポートする。したがって、各装置１００の第２温度出口継手１２８は、同じ装置１００の第１温度入口継手１２２に直接ルーティングされ、そのルーティングは、第１温度制御流体源８５４として機能する。図８の破線で示されるように、外部温度制御流体源８５４が、第１の流路１３０と第２の流路１３２との間の流体の任意のルーティングを補足または置き換えるために設けられ得る。「使用済みの」第２温度制御流体は、第１温度制御流体の温度まで冷却されたら（例えば、熱交換器８６２を介して）、再利用のために第１温度出口継手１２４から第２温度制御流体源８５６に戻されることが可能である。
【００３２】
しかしながら、図８のシステム８５２に示される配置の代わりに、第１および第２温度制御流体は、この図に示されるような同じ流体の「二重使用」なしに、２つの別々の冷却源または単一の冷却源の異なる相から別々に提供され得ることが企図されている。加えて、または代替的に、単一の装置１００および／またはシステム８５２内で所望の温度を達成するのを助けるために、１つの流路の出口継手と、（第１および第２温度制御流体のうちの同じまたは他のもののための、同じまたは異なる装置１００上の）別の流路の入口継手との間の流路に設けられた冷却ブースターユニット（図８の８８６として概略的に示されている）があってもよいことが企図されている。構成に関係なく、１つの装置１００または複数の装置１００のシステム８５２を使用して、回路カード１０２は、デュアル温度コンピューティングシステムをサポートするために、第１および第２温度制御流体の適用を通じて冷却され得る。
【００３３】
図９は、上記で説明し、図に示した装置１００を使用して、回路カード１０２環境で強制流動冷却を提供する方法のいくつかの例示的なステップのフローチャートである。第１のアクションブロック９６４では、装置１００が設けられる。次に、方法は、第２の動作ブロック９６６に移動し、第１の回路カードサブアセンブリ１０４が、第１の動作温度で動作するように構成される。第３の動作ブロック９６８では、第２の回路カードサブアセンブリ１０６が、第１の動作温度とは異なる第２の動作温度で動作するように構成される。第４のアクションブロック９７０では、回路カード１０８が、ハウジング内部ボリューム１１８で完全に囲まれる。
【００３４】
次に、制御は第５の動作ブロック９７２に進み、第１温度制御流体が、第１温度入口継手１２２を介してハウジング１１６内に送られる。次に、第６の動作ブロック９７４では、第１温度制御流体が、第１温度出口継手１２４を介してハウジング１１６の外に送られる。同様に、第７の動作ブロック９７６では、第２温度制御流体が、第２温度入口継手１２６を介してハウジング１１６内に送られる。次に、第８の動作ブロック９７８では、第２温度制御流体が、第２温度出口継手１２８を介してハウジング１１６の外に送られる。前述のように、第１および第２温度制御流体のうちの選択された一方は液相で提供され、第１および第２温度制御流体のうちの他方は気相／蒸気相で提供され得ることが企図されている。
【００３５】
第９の動作ブロック９８０では、第１温度制御流体が、第１の流路１３０においてハウジング内部ボリューム１１８内の第１の回路カードサブアセンブリ１０４の少なくとも一部を横切って横方向に導かれる。第１０の動作ブロック９８２では、第２温度制御流体が、第２の流路１３２においてハウジング内部ボリューム１１８内の第２の回路カードサブアセンブリ１０６の少なくとも一部を横切って横方向に導かれる。上述のように、第１および第２の回路カードサブアセンブリの間の縦方向の流体の流れは、熱バリア４４２または他の物理的な流れの妨害の使用などによって、少なくとも部分的に制限され得る。
【００３６】
図９のステップは、任意の所望のシーケンス、タイミング、および構成で発生する可能性があるが、第５から第１０の動作ブロック９７２〜９８２の動作は、特定の使用環境に適した第１および第２の流路１３０，１３２を提供することを支援するために、同時におよび／または連続的なサイクルのような方法で発生する可能性があることに特に注意すべきである。
【００３７】
図９の例示的な方法を完了するために、第１１の動作ブロック９８４では、第１の動作温度が、第２の流路を介して第２の動作温度がもたらされるのと同時に、第１の流路を介してもたらされる。その結果、図９の方法を使用して、装置１００および／またはシステム８５２を動作させて、デュアル温度回路カード１０２のコンピューティング環境に所望の温度制御機能を提供することができる。
【００３８】
ある要素が、別の要素の「上にある」、別の要素に「取り付けられている」、「接続されている」、「結合されている」、「接触している」などと言及される場合、それは、別の要素の直接上にあるか、別の要素に直接取り付けられているか、直接接続されているか、直接接続されているか、直接結合されているか、直接接触しているか、または介在する要素が存在していてもよい。対照的に、ある要素が、例えば、別の要素の「直接上にある」、別の要素に「直接取り付けられている」、「直接接続されている」、「直接結合されている」、または「直接接触している」などと言及される場合、介在する要素は存在しない。また、当業者には、他の特徴に「直接隣接して」配置された構造または特徴への言及は、隣接する特徴と重なり合う、またはその下にある部分を有し得るが、他の特徴に「隣接して」配置された構造または特徴は、隣接する特徴と重なり合う、またはその下にある部分を有しない場合がある。
【００３９】
「下」（ｕｎｄｅｒ，ｂｅｌｏｗ，ｌｏｗｅｒ）、「上」（ｏｖｅｒ，ｕｐｐｅｒ）などの空間的に相対的な用語は、説明を簡単にするために本明細書で使用され、図に示された別の要素または特徴に対する１つの要素または特徴の関係を説明する。空間的に相対的な用語は、図に示されている向きに加えて、使用中または動作中のデバイスの異なる向きを含むことができることが理解されよう。例えば、図中のデバイスが逆になっている場合、他の要素または特徴の「下」（ｕｎｄｅｒまたはｂｅｎｅａｔｈ）として説明される要素は、他の要素または特徴の「上」に配向されるだろう。
【００４０】
本明細書では「第１」、「第２」などの用語を使用して様々な要素を説明することができるが、これらの要素は、これらの用語によって限定されるべきではないことが理解されよう。これらの用語は、ある要素を別の要素と区別するためにのみ使用される。したがって、以下で説明する「第１」の要素は、本開示の教示から逸脱することなく「第２」の要素と呼ぶこともできる。動作（またはステップ）のシーケンスは、特に明記されていない限り、特許請求の範囲または図に示される順序に限定されるものではない。
【００４１】
この開示の態様は、上記の例示的な実施形態を参照して特に示され、説明されてきたが、様々な追加の実施形態が企図され得ることが当業者によって理解されるであろう。例えば、装置を使用するための上記の特定の方法は単なる例示であり、当業者は、上記の装置またはその構成要素を、本明細書に示され説明されるものと実質的に同様の位置に配置するための任意の数のツール、ステップのシーケンス、または他の手段／オプションを容易に決定できる。本明細書では温度制御の例として冷却が使用されているが、当業者は、本明細書に記載の装置１００および／またはシステム８５２、またはそれらと実質的に同様の構成を使用して加熱を提供することができる。説明されたアクションのいずれも、任意の所望の組み合わせおよびシーケンスで発生する可能性があり、アクションの１つまたは複数は、装置１００の動作中に任意の所望の回数繰り返すことができる。記載された構造および構成要素のいずれも、単一のユニタリーピースまたはモノリシックピースとして一体的に形成されてもよく、または別個のサブコンポーネントから構成されてもよく、これらの形成のいずれかは、任意の適切なストックまたは特注の構成要素および／または任意の適切な材料または材料の組み合わせを含むものである。記載された構造および構成要素のいずれも、特定の使用環境で望まれるように使い捨てまたは再利用可能であり得る。任意の構成要素には、その構成要素に関連する材料、構成、少なくとも１つの寸法などを示すユーザーが認識できるマーキングを提供でき、ユーザーが認識できるマーキングは、特定の使用環境のための同様のコンポーネントの配列から１つの構成要素をユーザーが選択するのに役立つ。「所定の」状態は、操作されている構造が実際にその状態に到達する前の任意の時間に決定されてよく、「事前の決定」は、遅くとも構造が所定の状態に達する直前までに行われる。本明細書で説明される特定の構成要素は、特定の幾何学的形状を有するものとして示されているが、この開示のすべての構造は、特定の用途に望ましい任意の適切な形状、サイズ、構成、相対関係、断面積、または任意の他の物理的特性を有し得る。一実施形態または構成を参照して説明される任意の構造または特徴は、単独または他の構造または特徴と組み合わせて、任意の他の実施形態または構成に提供され得るが、これは、本明細書で論じられる実施形態および構成の各々を、他の実施形態および構成のすべてに関して説明されたオプションのすべてを有するものとして説明することは実際的ではないからである。これらの特徴のうちの任意のものを組み込んだデバイスまたは方法は、以下の特許請求の範囲およびその均等物に基づいて決定されるように、本開示の範囲に含まれると理解されるべきである。
【００４２】
他の態様、目的、および利点は、図面、開示、および添付の特許請求の範囲の検討から得ることができる。
【図１】
2021517323.tif 000003
【図２】
2021517323.tif 000004
【図３】
2021517323.tif 000005
【図４】
2021517323.tif 000006
【図５】
2021517323.tif 000007
【図６】
2021517323.tif 000008
【図７】
2021517323.tif 000009
【図８】
2021517323.tif 000010
【図９】
2021517323.tif 000011
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
回路カード環境において強制流動冷却を提供するための装置であって、
実質的に横方向−縦方向面内に配向された単一の回路カードに共に接続された、縦方向に離間した第１および第２の回路カードサブアセンブリを含む少なくとも１つの回路カードであって、前記第１および第２の回路カードサブアセンブリは、前記第１および第２の回路カードサブアセンブリに対して平行な横方向−縦方向面内に配向された横方向に延在するカードコネクタにより共に接続されており、前記第１および第２の回路カードサブアセンブリは、それぞれ第１および第２の動作温度を有し、前記第１および第２の動作温度は互いに異なるものである、少なくとも１つの回路カードと、
前記回路カードを完全に三次元的に囲むハウジング内部ボリュームを画定するハウジングと、
第１温度制御流体を前記ハウジング内に送るための第１温度入口継手であって、前記第１の回路カードサブアセンブリと横方向に整列されている、第１温度入口継手と、
前記第１温度制御流体を前記ハウジングの外に送るための第１温度出口継手であって、前記第１の回路カードサブアセンブリと横方向に整列され、前記第１温度入口継手から前記ハウジング上で縦方向に離間されている、第１温度出口継手と、
第２温度制御流体を前記ハウジング内に送るための第２温度入口継手であって、前記第２の回路カードサブアセンブリと横方向に整列されている、第２温度入口継手と、
前記第２温度制御流体を前記ハウジングの外に送るための第２温度出口継手であって、前記第２の回路カードサブアセンブリと横方向に整列され、前記第２温度入口継手から前記ハウジング上で縦方向に離間されている、第２温度出口継手と
を備え、
前記第１温度制御流体は、前記第１の動作温度をもたらすために、第１の流路において前記ハウジング内部ボリューム内の前記第１の回路カードサブアセンブリの少なくとも一部を横切って横方向に導かれ、同時に、前記第２温度制御流体が、前記第２の動作温度をもたらすために、第２の流路において前記ハウジング内部ボリューム内の前記第２の回路カードサブアセンブリの少なくとも一部を横切って横方向に導かれる、装置。
【請求項２】
前記カードコネクタの少なくとも一部に横断方向に隣接する前記ハウジング内部ボリューム内に配置された熱バリアを含み、前記熱バリアは、前記第１および第２の回路カードサブアセンブリの間の縦方向の流体の流れを少なくとも部分的に制限する、請求項１に記載の装置。
【請求項３】
前記ハウジング内部ボリュームの内側に配置された複数の回路カードを含み、前記複数の回路カードの各々は、実質的に横方向−縦方向面内に配向されている、請求項１に記載の装置。
【請求項４】
複数の回路カードは、横方向に積層された行配置および横断方向に積層された列配置のうちの少なくとも１つに配置されている、請求項３に記載の装置。
【請求項５】
横断方向に隣接する回路カードは、異なる横断方向に交互に配向されている、請求項３に記載の装置。
【請求項６】
前記第１および第２温度制御流体のうちの選択された一方は液相であり、前記第１および第２温度制御流体のうちの他方は気相である、請求項１に記載の装置。
【請求項７】
前記第１および第２温度制御流体は、単一の冷却流体の異なる相である、請求項６に記載の装置。
【請求項８】
前記第１および第２の流路は、実質的に互いに分離している、請求項１に記載の装置。
【請求項９】
前記カードコネクタの少なくとも一部に横断方向に隣接する前記ハウジング内部ボリューム内に配置された熱バリアを含み、前記熱バリアは、第１および第２の流路を実質的に縦方向に分離する、請求項８に記載の装置。
【請求項１０】
前記第１および第２の回路カードサブアセンブリのうちの選択された１つから前記ハウジングを通って延在し、選択された回路カードサブアセンブリを前記ハウジングの外部の電気デバイスと電気通信させるための少なくとも１つの電気相互接続を含む、請求項１に記載の装置。
【請求項１１】
各回路カードサブアセンブリは、前記カードコネクタを含む回路基板およびサブアセンブリ基板のうちの少なくとも１つから横断方向に延在する複数のＩＣチップを含み、各サブアセンブリ基板は、存在する場合、前記カードコネクタ上に横断方向に取り付けられ、前記カードコネクタは、前記第１および第２の回路カードサブアセンブリの前記サブアセンブリ基板の合計表面積よりも大きい表面積を有する、請求項１に記載の装置。
【請求項１２】
前記第１および第２出口継手のうちの選択された１つと、前記第１および第２入口継手のうちの選択された１つとの間の流路に設けられた冷却ブースターユニットを含む、請求項１に記載の装置。
【請求項１３】
システムであって、
複数の請求項１に記載の装置と、
各装置の少なくとも１つの第１温度入口継手と流体連通している第１温度制御流体源と、
各装置の少なくとも１つの第２温度入口継手と流体連通している第２温度制御流体源と
を備える、システム。
【請求項１４】
回路カード環境において強制流動冷却を提供する方法であって、
実質的に横方向−縦方向面内に配向された単一の回路カードに接続された、縦方向に離間した第１および第２の回路カードサブアセンブリを含む少なくとも１つの回路カードであって、前記第１および第２の回路カードサブアセンブリは、前記第１および第２の回路カードサブアセンブリに対して平行な横方向−縦方向面内に配向された横方向に延在するカードコネクタにより共に接続されている、少なくとも１つの回路カードと、
ハウジング内部ボリュームを画定するハウジングと、
前記第１の回路カードサブアセンブリと横方向に整列されている第１温度入口継手と、
前記第１の回路カードサブアセンブリと横方向に整列され、前記第１温度入口継手から前記ハウジング上で縦方向に離間されている第１温度出口継手と、
前記第２の回路カードサブアセンブリと横方向に整列されている第２温度入口継手と、
前記第２の回路カードサブアセンブリと横方向に整列され、前記第２温度入口継手から前記ハウジング上で縦方向に離間されている第２温度出口継手と
を含む装置を提供すること、
第１の動作温度で動作するように前記第１の回路カードサブアセンブリを構成すること、
前記第１の動作温度とは異なる第２の動作温度で動作するように前記第２の回路カードサブアセンブリを構成すること、
前記ハウジング内部ボリュームで前記回路カードを完全に囲むこと、
前記第１温度入口継手を介して第１温度制御流体を前記ハウジング内に送ること、
前記第１温度出口継手を介して前記第１温度制御流体を前記ハウジングの外に送ること、
前記第２温度入口継手を介して第２温度制御流体を前記ハウジング内に送ること、
前記第２温度出口継手を介して前記第２温度制御流体を前記ハウジングの外に送ること、
前記第１温度制御流体を、第１の流路において前記ハウジング内部ボリューム内の前記第１の回路カードサブアセンブリの少なくとも一部を横切って横方向に導くこと、
前記第２温度制御流体を、第２の流路において前記ハウジング内部ボリューム内の前記第２の回路カードサブアセンブリの少なくとも一部を横切って横方向に導くこと、
前記第２の流路を介して前記第２の動作温度をもたらすのと同時に、前記第１の流路を介して前記第１の動作温度をもたらすこと
を含む方法。
【請求項１５】
前記第１および第２温度制御流体のうちの選択された一方を液相で、前記第１および第２温度制御流体のうちの他方を気相で提供することを含む、請求項１４に記載の方法。
【手続補正２】
【補正対象書類名】明細書
【補正対象項目名】００４２
【補正方法】変更
【補正の内容】
【００４２】
他の態様、目的、および利点は、図面、開示、および添付の特許請求の範囲の検討から得ることができる。
以下に、本開示に含まれる技術思想を付記として記載する。
［付記１］
回路カード環境において強制流動冷却を提供するための装置であって、
実質的に横方向−縦方向面内に配向された単一の回路カードに共に接続された、縦方向に離間した第１および第２の回路カードサブアセンブリを含む少なくとも１つの回路カードであって、前記第１および第２の回路カードサブアセンブリは、前記第１および第２の回路カードサブアセンブリに対して平行な横方向−縦方向面内に配向された横方向に延在するカードコネクタにより共に接続されており、前記第１および第２の回路カードサブアセンブリは、それぞれ第１および第２の動作温度を有し、前記第１および第２の動作温度は互いに異なるものである、少なくとも１つの回路カードと、
前記回路カードを完全に三次元的に囲むハウジング内部ボリュームを画定するハウジングと、
第１温度制御流体を前記ハウジング内に送るための第１温度入口継手であって、前記第１の回路カードサブアセンブリと横方向に整列されている、第１温度入口継手と、
前記第１温度制御流体を前記ハウジングの外に送るための第１温度出口継手であって、前記第１の回路カードサブアセンブリと横方向に整列され、前記第１温度入口継手から前記ハウジング上で縦方向に離間されている、第１温度出口継手と、
第２温度制御流体を前記ハウジング内に送るための第２温度入口継手であって、前記第２の回路カードサブアセンブリと横方向に整列されている、第２温度入口継手と、
前記第２温度制御流体を前記ハウジングの外に送るための第２温度出口継手であって、前記第２の回路カードサブアセンブリと横方向に整列され、前記第２温度入口継手から前記ハウジング上で縦方向に離間されている、第２温度出口継手と
を備え、
前記第１温度制御流体は、前記第１の動作温度をもたらすために、第１の流路において前記ハウジング内部ボリューム内の前記第１の回路カードサブアセンブリの少なくとも一部を横切って横方向に導かれ、同時に、前記第２温度制御流体が、前記第２の動作温度をもたらすために、第２の流路において前記ハウジング内部ボリューム内の前記第２の回路カードサブアセンブリの少なくとも一部を横切って横方向に導かれる、装置。
［付記２］
前記カードコネクタの少なくとも一部に横断方向に隣接する前記ハウジング内部ボリューム内に配置された熱バリアを含み、前記熱バリアは、前記第１および第２の回路カードサブアセンブリの間の縦方向の流体の流れを少なくとも部分的に制限する、付記１に記載の装置。
［付記３］
前記ハウジング内部ボリュームの内側に配置された複数の回路カードを含み、前記複数の回路カードの各々は、実質的に横方向−縦方向面内に配向されている、付記１に記載の装置。
［付記４］
複数の回路カードは、横方向に積層された行配置および横断方向に積層された列配置のうちの少なくとも１つに配置されている、付記３に記載の装置。
［付記５］
横断方向に隣接する回路カードは、異なる横断方向に交互に配向されている、付記３に記載の装置。
［付記６］
前記第１および第２の回路カードサブアセンブリおよびカードコネクタは、一体構造である、付記１に記載の装置。
［付記７］
前記ハウジング内部ボリュームは、少なくとも部分的に真空下にある、付記１に記載の装置。
［付記８］
前記第１および第２温度入口継手のうちの選択された１つは、対応する第１または第２温度出口継手と横方向に反対側に、前記ハウジング上に配置されている、付記１に記載の装置。
［付記９］
前記第１および第２温度制御流体のうちの選択された一方は液相であり、前記第１および第２温度制御流体のうちの他方は気相である、付記１に記載の装置。
［付記１０］
前記第１および第２温度制御流体は、単一の冷却流体の異なる相である、付記９に記載の装置。
［付記１１］
前記第１および第２の流路は、実質的に互いに分離している、付記１に記載の装置。
［付記１２］
前記第１および第２の流路は、実質的に平行である、付記１１に記載の装置。
［付記１３］
前記カードコネクタの少なくとも一部に横断方向に隣接する前記ハウジング内部ボリューム内に配置された熱バリアを含み、前記熱バリアは、第１および第２の流路を実質的に縦方向に分離する、付記１１に記載の装置。
［付記１４］
前記第１および第２の回路カードサブアセンブリのうちの選択された１つから前記ハウジングを通って延在し、選択された回路カードサブアセンブリを前記ハウジングの外部の電気デバイスと電気通信させるための少なくとも１つの電気相互接続を含む、付記１に記載の装置。
［付記１５］
各回路カードサブアセンブリは、前記カードコネクタを含む回路基板およびサブアセンブリ基板のうちの少なくとも１つから横断方向に延在する複数のＩＣチップを含み、各サブアセンブリ基板は、存在する場合、前記カードコネクタ上に横断方向に取り付けられ、前記カードコネクタは、前記第１および第２の回路カードサブアセンブリの前記サブアセンブリ基板の合計表面積よりも大きい表面積を有する、付記１に記載の装置。
［付記１６］
前記第１および第２出口継手のうちの選択された１つと、前記第１および第２入口継手のうちの選択された１つとの間の流路に設けられた冷却ブースターユニットを含む、付記１に記載の装置。
［付記１７］
システムであって、
複数の付記１に記載の装置と、
各装置の少なくとも１つの第１温度入口継手と流体連通している第１温度制御流体源と、
各装置の少なくとも１つの第２温度入口継手と流体連通している第２温度制御流体源と
を備える、システム。
［付記１８］
回路カード環境において強制流動冷却を提供する方法であって、
実質的に横方向−縦方向面内に配向された単一の回路カードに接続された、縦方向に離間した第１および第２の回路カードサブアセンブリを含む少なくとも１つの回路カードであって、前記第１および第２の回路カードサブアセンブリは、前記第１および第２の回路カードサブアセンブリに対して平行な横方向−縦方向面内に配向された横方向に延在するカードコネクタにより共に接続されている、少なくとも１つの回路カードと、
ハウジング内部ボリュームを画定するハウジングと、
前記第１の回路カードサブアセンブリと横方向に整列されている第１温度入口継手と、
前記第１の回路カードサブアセンブリと横方向に整列され、前記第１温度入口継手から前記ハウジング上で縦方向に離間されている第１温度出口継手と、
前記第２の回路カードサブアセンブリと横方向に整列されている第２温度入口継手と、
前記第２の回路カードサブアセンブリと横方向に整列され、前記第２温度入口継手から前記ハウジング上で縦方向に離間されている第２温度出口継手と
を含む装置を提供すること、
第１の動作温度で動作するように前記第１の回路カードサブアセンブリを構成すること、
前記第１の動作温度とは異なる第２の動作温度で動作するように前記第２の回路カードサブアセンブリを構成すること、
前記ハウジング内部ボリュームで前記回路カードを完全に囲むこと、
前記第１温度入口継手を介して第１温度制御流体を前記ハウジング内に送ること、
前記第１温度出口継手を介して前記第１温度制御流体を前記ハウジングの外に送ること、
前記第２温度入口継手を介して第２温度制御流体を前記ハウジング内に送ること、
前記第２温度出口継手を介して前記第２温度制御流体を前記ハウジングの外に送ること、
前記第１温度制御流体を、第１の流路において前記ハウジング内部ボリューム内の前記第１の回路カードサブアセンブリの少なくとも一部を横切って横方向に導くこと、
前記第２温度制御流体を、第２の流路において前記ハウジング内部ボリューム内の前記第２の回路カードサブアセンブリの少なくとも一部を横切って横方向に導くこと、
前記第２の流路を介して前記第２の動作温度をもたらすのと同時に、前記第１の流路を介して前記第１の動作温度をもたらすこと
を含む方法。
［付記１９］
前記第１および第２の回路カードサブアセンブリの間で縦方向に流体の流れを少なくとも部分的に制限することを含む、付記１８に記載の方法。
［付記２０］
前記第１および第２温度制御流体のうちの選択された一方を液相で、前記第１および第２温度制御流体のうちの他方を気相で提供することを含む、付記１８に記載の方法。
［付記２１］
装置を提供することは、
複数の回路カードを前記ハウジング内部ボリューム内に配置すること、
前記複数の回路カードの各々を実質的に横方向−縦方向面内に配向させること、
横方向に積層された行配列および横断方向に積層された列配列のうちの少なくとも１つで前記ハウジング内に前記複数の回路カードを配置することを含む、付記１８に記載の方法。
【国際調査報告】
2021517323.tif 000012
2021517323.tif 000013
2021517323.tif 000014